(57)【要約】【課題】光学部品組立体を軸受基台に支持するにあたって、光学部品組立体が外部から振動を受けても、優れた耐振性をもって高精度の光学系機能を保持する光学部品保持装置および光学部品保持方法を提供すること。【解決手段】光学部品保持装置１０は、軸受基台１２と、この軸受基台１２に回動自在に支持される光学部品組立体１３と、を具備し、光学部品組立体１３は、光学部品２１を支持する光学部品支持フレーム２０と、この光学部品支持フレーム２０に組込まれる光学部品２１を光学部品支持フレーム２０へ弾力的に保持するように設けられた弾性体２２と、より構成され、光学部品２１は、光学部品支持フレーム２０から位置調整ネジ３０による押圧力により移動して光軸ｂの位置調整がなされる一方、軸受基台１２側から角度調整ネジ３１による押圧力により移動して光軸ｂの角度調整がなされるようにした。【選択図】  図１
2006178324.tif 000002
【特許請求の範囲】
【請求項１】
軸受基台と、この軸受基台に回動自在に支持される光学部品組立体とを具備し、
上記光学部品組立体は、光学部品を支持する光学部品支持フレームと、
この光学部品支持フレームに組込まれる光学部品を光学部品支持フレーム側へ弾力的に保持するように設けられた弾性体とより構成され、
上記光学部品は、上記光学部品支持フレームに設けられて位置調整ネジによる押圧移動により、光軸の位置調整がなされる一方、上記軸受基台に設けられた角度調整ネジによる押圧移動により光軸の角度調整がなされるようにしたことを特徴とする光学部品保持装置。
【請求項２】
上記光学部品組立体は、位置調整ネジおよび角度調整ネジにより、軸受基台に回動自在に支持され、軸受基台に対する位置および角度調整がなされるようにしたことを特徴とする請求項１記載の光学部品保持装置。
【請求項３】
軸受基台と、この軸受基台に回動自在に支持される光学部品組立体とを具備し、
上記光学部品組立体は、光学部品を支持する光学部品支持フレームと、
この光学部品支持フレームに組込まれる光学部品を光学部品支持フレーム側へ弾力的に保持するように設けられた弾性体とより構成され、
上記光学部品は、上記光学部品支持フレームに設けられて位置調整ネジによる押圧移動により、光軸の位置調整がなされると共に上記軸受基台に設けられた角度調整ネジによる押圧移動により光軸の角度調整がなされる一方、締結ネジにより、上記光学部品組立体および軸受基台を一体的に締結したことを特徴とする光学部品保持装置。
【請求項４】
前記位置調整ネジおよび角度調整ネジと、締結ネジとの螺入方向を異ならせて設け、上記光学部品組立体を軸受基台に支持させたことを特徴とする請求項３記載の光学部品保持装置。
【請求項５】
上記位置調整ネジおよび角度調整ネジと、締結ネジの螺入方向をそれぞれ９０°の角度差を有することを特徴とする請求項４記載の光学部品保持装置。
【請求項６】
上記光学部品組立体は、光学部品支持フレームの一側の押圧面が位置調整ネジにより押圧されて位置調整が可能なように設けられたことを特徴とする請求項１または３記載の光学部品保持装置。
【請求項７】
上記光学部品組立体には、光学部品支持フレームに組込まれる光学部品のレンズホルダに位置調整ネジが設けられたことを特徴とする請求項１または３記載の光学部品保持装置。
【請求項８】
上記光学部品組立体は、光学部品が、そのレンズホルダのフランジ部に接合する弾性バネにより光学部品支持フレームに弾性的に保持されたことを特徴とする請求項１または３記載の光学部品保持装置。
【請求項９】
上記光学部品支持フレームは、角度調整ネジにより押圧されて角度調整が可能なように、その両側の少なくとも一方に、上記角度調整ネジの押圧力を受ける押圧面を有する耳部を設けたことを特徴とする請求項１または３記載の光学部品保持装置。
【請求項１０】
光学部品組立体の光学部品支持フレームを軸受基台に支持する際、この光学部品支持フレームに組込まれる光学部品を、弾性体により光学部品支持フレームへ弾力的に保持させると共に、
上記光学部品は、光学部品支持フレームの位置調整ネジによる押圧移動により光軸の位置調整を行う一方、軸受基台の角度調整ネジによる押圧移動により光軸の角度調整を行うことを特徴とする光学部品保持方法。
【請求項１１】
光学部品組立体の光学部品支持フレームを軸受基台に支持する際、この光学部品支持フレームに組込まれる光学部品を、弾性体により光学部品支持フレームへ弾力的に保持させると共に、
上記光学部品は、光学部品支持フレームの位置調整ネジによる押圧移動により光軸の位置調整を行うと共に、軸受基台の角度調整ネジによる押圧移動により光軸の角度調整を行う一方、締結ネジにより上記光学部品組立体および軸受基台を一体的に締結することを特徴とする光学部品保持方法。
【請求項１２】
上記光学部品組立体を軸受基台側に支持するに際して、調整ネジにより、位置調整および角度調整を行なってから、上記光学部品組立体および軸受基台の両方を締結ネジにより締結することを特徴とする請求項１０または１１記載の光学部品保持方法。
【請求項１３】
上記締結ネジを、上記位置調整ネジおよび角度調整ネジと螺入方向を異ならせて、締結することを特徴とする請求項１２記載の光学部品保持方法。
【発明の詳細な説明】
【技術分野】
【０００１】
この発明は、光学部品を航空機等の移動体に搭載して使用するに適した耐振性を有する光学部品保持装置および光学部品保持方法に関する。
【背景技術】
【０００２】
従来、この種の光学部品保持装置が航空機等の移動体に搭載され、ターゲットに対してレーザビーム等の光を照射する光学装置に用いられたものがある。
【０００３】
この光学装置は、ターゲットとなる、例えば航空機等の飛翔体に対して、射出される光の正確な方向を得るために、ターゲットに向けて正確な光軸が得られるように予め調整する必要がある。この光軸の調整にあたっては、ターゲットの大きさや距離に応じて、また、搭載する側の移動体の振動特性を考慮した高精度の微調整が要求され、この微調整にあたって、光学部品保持装置側において光軸の位置および角度を前以て調整し得るようにしている。
【０００４】
このような、光学装置を搭載した光学部品保持装置として、特開２００１−１５３７２５号公報（［特許文献１］参照）に開示されたものがある。
【０００５】
この光学部品保持装置１は、図３に示すように、光学部品組立体２と、この光学部品組立体２を保持するホルダ３と、このホルダ３の回動角を制御して、その光軸４を所要の方向に制御する制御部５とを設けている。
【０００６】
また、光学部品組立体２には、光を光軸４に沿って照射するレンズ６およびホルダ３の中央部にターゲット方向に向かう光軸４が得られるよう調整を行うことができる可動枠体７とを設けている。レンズ６は、制御部５により光軸４を自動的にターゲット方向へ指向するように制御する機能を備えている。
【特許文献１】特開２００１−１５３７２５号公報
【発明の開示】
【発明が解決しようとする課題】
【０００７】
光学部品保持装置１の構成によれば、光学部品組立体２を構成する可動枠体７を制御部５により自動的に回動させてレンズ６の方向を制御してターゲットへの指向性を得るようになっている。
【０００８】
この光学部品組立体２の構成によれば、レンズ６により得られる光軸４の方向は、この光軸４と直交する面内を回動する１つの可動枠体７の回動調整により行なっているため、その光学部品組立体２の組立時における微調整がなされた場合にでも、実使用時において移動体が振動した場合には、その振動により光学部品組立体２の指向精度、すなわち、光学部品組立体２の光学系の正確な光軸４を維持することが困難となっていた。
【０００９】
本発明は上記の事情に鑑みてなされたもので、光学部品組立体が外部から振動を受けても、優れた耐振性をもって光学系の光軸を高精度に調節・保持可能な光学部品保持装置および光学部品保持方法を提供することを目的とする。
【課題を解決するための手段】
【００１０】
上記目的を達成するために、本発明によれば、軸受基台と、この軸受基台に回動自在に支持される光学部品組立体とを具備し、上記光学部品組立体は、光学部品を支持する光学部品支持フレームと、この光学部品支持フレームに組込まれる光学部品を光学部品支持フレーム側へ弾力的に保持するように設けられた弾性体とより構成され、上記光学部品は、上記光学部品支持フレームに設けられて位置調整ネジによる押圧移動により、光軸の位置調整がなされる一方、上記軸受基台に設けられた角度調整ネジによる押圧移動により光軸の角度調整がなされるようにしたことを特徴とする光学部品保持装置を提供する。
【００１１】
上記目的を達成するために、本発明によれば、軸受基台と、この軸受基台に回動自在に支持される光学部品組立体とを具備し、上記光学部品組立体は、光学部品を支持する光学部品支持フレームと、この光学部品支持フレームに組込まれる光学部品を光学部品支持フレーム側へ弾力的に保持するように設けられた弾性体とより構成され、上記光学部品は、上記光学部品支持フレームに設けられて位置調整ネジによる押圧移動により、光軸の位置調整がなされると共に上記軸受基台に設けられた角度調整ネジによる押圧移動により光軸の角度調整がなされる一方、締結ネジにより、上記光学部品組立体および軸受基台を一体的に締結したことを特徴とする光学部品保持装置を提供する。
【００１２】
上記目的を達成するために、本発明によれば、光学部品組立体の光学部品支持フレームを軸受基台に支持する際、この光学部品支持フレームに組込まれる光学部品を、弾性体により光学部品支持フレームへ弾力的に保持させると共に、上記光学部品は、光学部品支持フレームの位置調整ネジによる押圧移動により光軸の位置調整を行う一方、軸受基台の角度調整ネジによる押圧移動により、光軸の角度調整を行うことを特徴とする光学部品保持方法を提供する。
【００１３】
上記目的を達成するために、本発明によれば、光学部品組立体の光学部品支持フレームを軸受基台に支持する際、この光学部品支持フレームに組込まれる光学部品を、弾性体により光学部品支持フレームへ弾力的に保持させると共に、上記光学部品は、光学部品支持フレームの位置調整ネジによる押圧移動により光軸の位置調整を行うと共に、軸受基台の角度調整ネジによる押圧移動により光軸の角度調整を行う一方、締結ネジにより上記光学部品組立体および軸受基台を一体的に締結することを特徴とする光学部品保持方法を提供する。
【発明の効果】
【００１４】
本発明によれば、光学部品組立体を軸受基台に支持するにあたって、光学部品組立体が外部から振動を受けても、優れた耐振性をもって光学系の光軸を高精度に調節・保持可能な光学部品保持装置および光学部品保持方法を提供することができる。
【発明を実施するための最良の形態】
【００１５】
本発明に係る光学部品保持装置の実施形態について、添付図面を参照して説明する。
【００１６】
図１は、本発明に係る光学部品保持装置１０の実施形態の概要を示し、正面側から見た斜視図である。
【００１７】
図２は、光学部品保持装置１０を分解し、背面側から見た斜視図である。
【００１８】
光学部品保持装置１０は、図１に示すように、航空機等の移動体側に予め設置される矩形の装置基台１１と、この装置基台１１上に設置される軸受基台１２と、この軸受基台１２にエレベーション方向（図１の矢視ｙ方向）に回動可能に支持される光学部品組立体１３と、を具備している。
【００１９】
軸受基台１２は、Ｕ字形に設けられたもので、このＵ字の内側に光学部品組立体１３が組み込まれた構成である。
【００２０】
軸受基台１２は、対をなす軸受板１４および１５が組み合わされてＵ字状に形成される。このＵ字形に形成された軸受基台１２は、軸受板１４および１５とが、所要の間隔ｌをとってほぼ平行に間隔ｌをとって設けられる。
【００２１】
この軸受基台１２に組み込まれた光学部品組立体１３は、矢印ａに示す正面方向が光軸ｂに沿うように設けられる。
【００２２】
装置基台１１は、図２示すように、中央部表面に位置決め用突起部１１ａが設けられる。装置基台１１には、光学部品保持装置１０を移動体（図示せず）側に締結するための複数の締結ネジ用孔１１ｃが四隅部に設けられる。
【００２３】
また、軸受基台１２の軸受板１４および軸受板１５は、相対向する側に有底筒状の凹陥部１４ｄ（点線図示）および１５ｄが耳軸としてそれぞれ設けられる。この凹陥部１４ｄおよび１５ｄは、光学部品組立体１３の耳部２３を保持している。
【００２４】
更に、凹陥部１４ｄおよび１５ｄには、複数の締結ネジ用孔１４ｅおよび１５ｅがそれぞれ設けられる。
【００２５】
この凹陥部１４ｄおよび１５ｄのそれぞれには、支持軸１６および１７用の軸孔１４ｆおよび１５ｆが設けられ、各軸孔１４ｆ，１５ｆに支持された支持軸１６，１７により光学部品組立体１３をエレベーション方向ｙに回動自在に軸支している。
【００２６】
更にまた、軸受基台１２の軸受板１４および軸受板１５には、それぞれ複数の角度調整ネジ用孔１４ｃおよび１５ｃが設けられる。
【００２７】
角度調整ネジ用孔１４ｃおよび１５ｃの縦孔に、角度調整ネジ３１を螺入して押圧することにより、軸受基台１２に対して光学部品組立体１３の支持角度位置を調整することができるようになっている。
【００２８】
また、軸受基台１２の軸受板１４には、その端部から他方の軸受板１５側に突出した基部１８が一体に設けられ、この基部１８が装置基台１１上へ設置される。
【００２９】
軸受基台１２の基部１８の裏側には、図示しない凹陥部が設けられ、この凹陥部が装置基台１１の位置決め用突起部１１ａに嵌入され、位置決めがなされ設置される。この基部１８には、軸受板１４を締結する締結ネジ３５用の締結ネジ用長孔１４ｇおよび締結ネジ用孔１４ｈが設けられる。
【００３０】
また、軸受基台１２は、基部１８の締結用長孔１４ｇを利用して装置基台１１に対してアジマス方向（図１の矢視ｘ方向）に僅かに回動可能になっている。軸受基台１２は、微調整（回動）後に装置基台１１へ複数の締結ネジ３５により締結される。
【００３１】
軸受基台１２にエレベーション方向ｙに回動可能に保持される光学部品組立体１３は、図２に示すように、光学部品支持フレーム２０と、この光学部品支持フレーム２０に保持される光学部品２１と、この光学部品２１を光学部品支持フレーム２０に弾力的に保持される弾性体としてのバネ部材２２とを有する。
【００３２】
光学部品支持フレーム２０は、耳部２３が軸受基台１２の軸受板１４および１５に形成された対向する凹陥部１４ｄ，１５ｄに挿入され、保持される。
【００３３】
軸受板１４および１５には、複数の角度調整ネジ用孔１４ｃおよび１５ｃが形成され、この角度調整ネジ用孔１４ｃおよび１５ｃに角度調整ネジ３１がそれぞれ挿通され、耳部２３の角度調整ネジ押圧面２３ａを押圧して光学部品支持フレーム２０の耳部２３を、角度調整作業がなされるようになっている。
【００３４】
更に、光学部品組立体１３の角度調整の際には、図１に示すように複数の角度調整ネジ３１を光軸ｂの角度（方位）に沿って螺入しながら光学部品組立体１３のエレベーション方向ｙをチェックすることができる。
【００３５】
また、光学部品支持フレーム２０の耳部２３には、角度調整ネジ３１と接触する押圧面２３ａが対をなして形成され、この耳部２３の押圧面２３ａを、角度調整ネジ３１が押圧することにより、光学部品支持フレーム２０の光軸ｂの角度（方位）を所望に調整可能になっている。
【００３６】
従って、光学部品組立体１３の方位を調整するにあたって取り扱われる複数の角度調整ネジ３１は、光学部品組立体１３の耳部２３の角度調整ネジ押圧面２３ａへの押圧力を調節し、光学部品支持フレーム２０の光学部品２１の光軸ｂの角度（方位）の微調整を行うことができるものである。
【００３７】
そして、この光学部品組立体１３を軸受基台１２に対して支持させる角度位置の調整が完了した後は、光学部品支持フレーム２０を軸受基台１２へ固定することができるようになっている。
【００３８】
また、光学部品支持フレーム２０の耳部２３には、光軸ｂの角度調整後に、光学部品支持フレーム２０を軸受基台１２に締結するための複数の締結ネジ用孔２３ｂを設けている。
【００３９】
一方、光学部品組立体１３は装置基台１１に対して、図１に示すように、エレベーション方向ｙおよびアジマス方向ｘに沿って各々調整可能に設けられる。
【００４０】
光学部品支持フレーム２０は、内部に光学部品２１を収納する収納スペースｓを有し、フレーム頂部２０ａには位置調整ネジ孔２０ｂが縦孔として設けられる。
【００４１】
この位置調整ネジ孔２０ｂに位置調整ネジ３０が上方から挿入され、光学部品支持フレーム２０の収納スペースｓに光学部品２１が組み込まれる。位置調整ネジ３０は、光学部品２１の光軸ｂを放射状方向に位置調整するために用いられる。
【００４２】
この光学部品２１は、レンズホルダ２６と、このレンズホルダ２６内に保持される光学レンズ２５と、この保持された光学レンズ２５をレンズホルダ３６に固定させるレンズストッパ２７とにより構成される。
【００４３】
レンズホルダ２６は、そのフランジ部２６ｂがバネ部材２２により光学部品支持フレーム２０に弾力的に保持される。
【００４４】
このレンズホルダ２６のフランジ部２６ｂは、方形状の枠部２６ａの４方側外方へ突出させて設けられる。
【００４５】
また、方形状の枠部２６ａには、その周辺部４方に位置調整押圧面２６ｃが備えられ、この位置調整押圧面２６ｃが位置調整ネジ３０により押圧されて、光学部品２１が光学部品支持フレーム２０に対し位置調整される。
【００４６】
次に、光学部品２１の光学部品支持フレーム２０に対する取付け構造について図１および図２を参照して更に詳細に説明する。
【００４７】
光学部品２１は、図１に示すように、光学部品支持フレーム２０に取付けられ、取付けられた光学部品２１は、光学部品支持フレーム２０の収納スペースｓに上下方にバネ部材２２により弾力的に保持される。
【００４８】
このバネ部材２２には、固定端部２２ａと、弾力部２２ｂとが備えられる。
【００４９】
バネ部材２２は、光学部品２１を光学部品支持フレーム２０の所定位置に弾力的に保持することができるように光学部品支持フレーム２０の開口正面の例えば上下位置に設けられる。
【００５０】
このバネ部材２２には、光学部品支持フレーム２０の正面開口側の上下部に、それぞれの固定端部２２ａがネジ止め固定される。バネ部材２２の弾力部２２ｂは、光学部品２１を光学部品支持フレーム２０に弾力的に保持するもので、具体的には、光学部品２１のレンズホルダ２６のフランジ部２６ｃを光学部品支持フレーム２０に弾力的に押圧保持している。
【００５１】
このように、バネ部材２２により保持される光学部品２１は、光学部品支持フレーム２０に対して光軸調整される。
【００５２】
なお、図２に示す光学部品支持フレーム２０の符号３４は、光学部品支持フレーム２０を図示しないレーザ光の光発信装置を取付けるための締結ネジ用孔である。
【００５３】
次に、光学部品保持装置１０の作用について説明する。
【００５４】
光学部品保持装置１０を仮組立から調整完了までを、光軸調整前組立段階、調整段階、および締結（固定）段階までの手順に従い説明する。
【００５５】
（光軸調整前組立段階）
航空機等の移動体に予め固定された装置基台１１上に、軸受基台１２を位置決めし、複数の締結ネジ３５にてこれら両者を予め締結する。軸受基台１２を装置基台１１に締結させる際には、装置基台１１上に設置する軸受基台１２の位置（方位）を、軸受板１４の基部１８の長孔１４ｇおよび締結ネジ用孔１４ｈを利用してアジマス方向ｘを適正に調整してから複数の締結ネジ３５にて締結する。
【００５６】
一方、軸受基台１２に組み込まれる光学部品組立体１３は、所定の手順にて予め組立てられる。
【００５７】
図２に示すように、光学部品支持フレーム２０内に光学部品２１を組み込み、弾性体のバネ部材２２により弾性保持される。
【００５８】
光学部品２１は、レンズ２５，レンズホルダ２６およびレンズストッパ２７を組立てることにより構成される。
【００５９】
軸受基台１２は、軸受板１４および１５を組合せて組立てられる。
【００６０】
そして、この組立てられた光学部品２１を、光軸ｂに沿うように光学部品支持フレーム２０のスペースｓへ組込む。
【００６１】
この光学部品２１は、光学部品支持フレーム２０へ組込まれる際に、レンズホルダ２６のフランジ部２６ｂを、バネ部材２２を介して光学部品支持フレーム２０へ弾力的に保持されるように取付ける。この取付けにより、光学部品組立体１３が組立てられる。
【００６２】
次に、この組立てられた光学部品組立体１３を軸受基台１２の所定位置へ組み込むと共に、支持軸１６および１７を、軸受基台１２の軸孔１４ｆおよび１５ｆを通して光学部品支持フレーム２０両側の耳部２３の軸孔２３ｃへ挿通する。
【００６３】
これにより、光学部品組立体１３は、軸受基台１２側にエレベーション方向ｙへ回動自在に支持された状態となる。
【００６４】
次に、この光学部品組立体１３が、軸受基台１２に支持された状態にて、光学部品支持フレーム２０の位置調整ネジ用孔２０ｂへ位置調整ネジ３０を螺入する。
【００６５】
続いて、軸受基台１２の角度調整ネジ用孔１４ｃおよび１５ｃから角度調整ネジ３１を螺入する。
【００６６】
更に、軸受基台１２の軸受板１４および１５から複数の締結ネジ用孔１４ｅおよび１５ｅを介して、複数の締結ネジ３３を通し、光学部品支持フレーム２０の耳部２３の締結ネジ用孔２３ｂへ螺合して締結する。
【００６７】
この締結状態で光学部品組立体１３が軸受基台１２に締結され、光学部品保持装置１０の光軸調整前組立段階が完了する。
【００６８】
（調整段階）
次に、この光学部品保持装置１０の光軸調整前組立状態から調整を行い、そして、調整完了状態を保持する締結段階まで順を追って説明する。
【００６９】
調整段階では、光学部品２１の光軸ｂが、予め定められた基準位置および基準角度（方位）に合致するように調整する。
【００７０】
光学部品２１の基準位置および基準角度が、例えば両方が、所要の閾値からずれていた場合には、この両方のずれ分を補正するように調整する。
【００７１】
最初に光学部品２１の基準位置を調整（補正）するために、光学部品支持フレーム２０の位置調整ネジ３０を少しずつ螺入する。
【００７２】
すると、光学部品２１のレンズホルダ２６の押圧面２６ｃ方向へ押圧力がかかり、光学部品組立体１３はこの押圧力の方向へほぼ直線的に僅かに移動する。
【００７３】
このため、光学部品２１の光軸ｂの軸位置は、光学部品組立体１３の移動分だけずれて移動する。この光学部品２１の光軸位置の移動により、光学部品２１の光軸ｂの位置調整（補正）が完了する。
【００７４】
次に、光学部品２１の基準角度を調整（補正）するために、軸受基台１２の複数の角度調整ネジ３１の少なくとも１つの螺入状態を調整する。
【００７５】
すると、光学部品支持フレーム２０の耳部２３の位置調整ネジ押圧面２３ａへ調整された押圧力がかかり、光学部品組立体１３は、支持軸１６および１７を中心にして押圧力の方向、すなわち、光学部品支持フレーム２０全体が、所要のエレベーション方向ｙに回転移動する。
【００７６】
この光学部品支持フレーム２０のエレベーション方向ｙの移動により、光学部品２１の光軸ｂの角度調整（補正）が完了する。
【００７７】
なお、この光軸ｂの角度調整にあたって、光軸ｂを当該光軸ｂの横断面方向に僅かに移動させて所要位置へ調整する。所要位置への調整には、図示しない光学調整用機器を用いて行うことができる。
【００７８】
（締結段階）
光学部品２１の締結段階では、光学部品２１の調整段階が完了段階で、軸受基台１２の複数の締結ネジ用孔１４ｅおよび１５ｅへ複数の締結ネジ３３を通し、光学部品支持フレーム２０の耳部２３の締結ネジ用孔２３ｂに螺入して締結する。
【００７９】
光学部品組立体１３は、当初の調整（補正）完了状態のままで軸受基台１２に保持させられる。
【００８０】
このように、光学部品保持装置１０によれば、光学部品２１の位置調整および角度（方位）調整をするにあたり、それぞれ別々の位置調整ネジ３０および角度調整ネジ３１を用いて行なったから、光学部品組立体１３を装置基台１１への取付け、調整作業が容易となり、正確且つ確実に保持させることが可能となる。
【００８１】
従って、光学部品保持装置１０を、航空機等の移動体に搭載して用いられる際に、移動体側にて発生する振動に対しても調整後の保持・保全特性が良好であり、信頼性ある光学部品保持装置を提供することができる。
【００８２】
なお、光学部品保持装置１０によれば、光学部品組立体１３の光学部品支持フレーム２０の両側に設けた耳部２３は、必ずしも必要でなく片方のみであってもよい。片方のみの場合には、他の片方を固定させることで調整を可能とすることができる。
【００８３】
また、光学部品保持装置１０によれば、光学部品支持フレーム２０に設けた位置調整ネジ３０は、１本を用いて行うようにしたが、角度の異なった位置、例えば９０°程度異なった位置に複数本設けてもよい。
【００８４】
すなわち、例えば軸受板１４および１５、更には光学部品支持フレーム２０の耳部２３に位置調整ネジ３０の挿通用ネジ孔を設け、このネジ孔に位置調整ネジ３０を挿通させて光学部品２１のレンズホルダ２６を、光軸ｂと直交する平面方向（縦・横方向）に調整できるようにしてもよい。
【００８５】
このように、位置調整ネジ３０と、角度調整ネジ３１の螺入方向を異ならせることにより、光軸ｂの調整が簡易且つ確実なものになると共に、一方側から外力や振動が加わった場合にでも容易にずれを起こさず、高精度に保つことができる。
【００８６】
また、位置調整ネジ３０が押圧する光学部品２１のレンズホルダ２６の位置調整ネジ押圧面２６ｃの反対側の押圧面側には、図示しない伸長バネを配置し、位置調整ネジ３０による押圧力に抗して弾性力を発揮させた構成にしてもよい。
【００８７】
この構成を採用した場合には、伸長バネの反発作用が得られるので、位置調整ネジ３０による微妙な調整に有利である。
【００８８】
更にまた、角度調整ネジ３１が押圧する光学部品支持フレーム２０の耳部２３の位置調整ネジ押圧面２３ａの反対側に、図示しない伸長バネを配置して、角度調整ネジ３１による押圧力に抗して弾性力を発揮させた構成としてもよい。
【図面の簡単な説明】
【００８９】
【図１】本発明に係る光学部品保持装置の実施形態を示す概要図。
【図２】図１の光学部品保持装置の分解斜視図。
【図３】従来の光学部品保持装置の概略斜視図。
【符号の説明】
【００９０】
１０  光学部品保持装置
１１  装置基台
１１ａ  突起部
１１ｂ，１１ｃ，１４ｅ，１４ｈ，１５ｅ，２３ｂ，３４  締結ネジ用孔
１２  軸受基台
１３  光学部品組立体
１４，１５  軸受板
１４ｂ  軸受板部
１４ｃ，１５ｃ  角度調整ネジ用孔
１４ｄ，１５ｄ  凹陥部
１４ｆ，１５ｆ，２３ｃ  軸孔
１４ｇ  角度調整ネジ用長孔
１６，１７  支持軸
１８  基部
２０  光学部品支持フレーム
２０ａ  外面
２０ｂ  位置調整ネジ用孔
２１  光学部品
２２  バネ部材（弾性体）
２２ａ  固定端部
２２ｂ  弾力部
２３  耳部
２３ａ  角度調整ネジ押圧面
２５  レンズ
２６  レンズホルダ
２６ａ  枠部
２６ｂ  フランジ部
２６ｃ  位置調整ネジ押圧面
２７  レンズストッパ
３０  位置調整ネジ
３１  角度調整ネジ
３３，３５  締結ネジ
ｂ  光軸
ｓ  収納スペース
【図１】
2006178324.tif 000003
【図２】
2006178324.tif 000004
【図３】
2006178324.tif 000005